(57)【要約】      （修正有）【課題】考案の課題を簡潔に記載してください。〔１盲人は熱湯が何所まで入ったか分からないので簡単に知りたい。盲人は視力によって行う事全てを何らかの手段で補っているが熱湯を適量入った事を知るのは困難で、お茶やコーヒー等何所まで入ったか知ろうとすると、指を入れて触るよりほか無く結果火傷するので勘に頼ると入っていなかったり溢れさせてしまう。そこで簡単にお茶やコーヒー等熱湯が何所まで入ったかを知ることができる折りたたみ式ホーク付スプーンの提供。【解決手段】考案の解決手段を簡潔に記載してください。〔１熱湯が何所まで入ったかを簡単に知るために、スプンの柄に二つの違った金属で熱伝導の速さと伝道熱の温度の差を利用して、熱湯が何所まで入ったかを知り困難無くお茶やコーヒーを飲める様にする。【選択図】図１
0003116579.tif 000002
【実用新案登録請求の範囲】
【請求項１】
（１）実用新案登録を受けようとする考案を特定するために必要と認める事項の全てを記載した項（請求項）に区分して記載して下さい。
（２）請求項ごとに行を改め、番号を付してください。（請求項の数が１の場合でも、「〔請求項１〕」と記載してください。又、２以上の場合は、「〔請求項１〕」、「〔請求項２〕」のように連続番号を付してください。）
【請求項１】
二つの金属の熱伝導の速さと伝道熱の温度の差を利用して、熱湯が何所まで入ったかを感知する機能を持つスプンの機能の範囲
【請求項２】
スプンの柄が二つに折り曲げたり伸ばしたり出きる、機能を持つスプンの機能の範囲。
【請求項３】
スプンの柄が最後部で二つに割れていて、ホークの機能を持つスプンの機能の範囲
【考案の詳細な説明】
【技術分野】〔金属の加工〕
【背景技術】
【０００１】スプンの柄に別の金属をはめ込む
スプンの柄の中間に蝶番（チョウツガイ）で折りたためるようにする。
スプンの柄の最後部を二つに分かれるように切込みを入れる。
【考案の開示】
【考案が解決しようとする課題】
【０００２】〔１盲人は視力によって行う事を何らかの方法で補っているが、お茶やコーヒー等入れるとき熱湯が何所まで入ったかを知るためには指を入れて知る他はなく、そうすると指を火傷するので、勘で入れていると入っていなかったり溢れさせたりするので適当に難なく入れられるようにする課題。〕
〔２盲人はスプンやコップ等色々出し入れするのは大変で、スプンをコップの中へ入れておくと蓋が出来ないので、片付けて置くか使う度に洗うかどちらにしても困難を伴うので容器の中へ入れて蓋をしておける様にする課題〕
〔３茶菓を飲食するとき小型のホークが欲しいと思うときがあるが、盲人は道具一つを取り替えるのにも苦労をするので、スプン一つでホークとしても使えるようにする課題。〕
【課題を解決するための手段】
【０００３】〔１スプンの柄にスプンに使用してある金属とは別の熱伝導が早く又伝導熱の温度の高い金属を用いて、二つの金属の差で熱湯の入った事を感知する手段〕
〔２スプンの柄を湯飲み茶碗等の中に、入り込む長さの処に折りたためる細工を施し、使わないときはコップ等の中へ入れ込んで蓋が出きるようにする手段〕
〔３スプンの柄の後部に切り込みを入れて小型のホークにする手段〕
【考案の効果】〔１使用しているスプンの柄を指で触っているだけで熱湯が適量入った事を感知する事が出きるので安全に適当に熱湯を入れる事が出きる効果〕
〔２スプンを二つ折れにする事で、容器の中へ収納して蓋が出きるので湯のみ茶碗やコップの中に入れて置くと、コップとスプンがセットでつかえるので非常に助かる効果。又砂糖やコーヒー等の容器の中へ入れ込んで置くと盲人だけでなく一般の家庭でも便利である効果〕
〔３スプンを逆さまにしてホークとして使えるので茶菓子を食べる時に都合がよい効果。〕
【考案を実施するための最良の形態】〔スプンの柄の中間に他の金属が用いてあり、柄の最後部が二つに分かれていて其柄が二つ折れに出きるスプンの形態〕
【実施例】〔熱湯を適当に注ぐ事が出きるので、湯飲み茶碗やコップ等にお茶やコーヒーを入れて飲み、生菓子等をスプンの柄を反対に持ちホークとして使い茶菓を飲食した後スプンを二つに折って湯飲み茶碗やコップの中へ入れて蓋をしておくと次にそのまま使える。失明してから必要に迫られて試作したものをつかっている。〕
【産業上の利用可能性】〔盲人は全国に又地球上に沢山存在するので、この考案が具体化するのを待っている人が多いと思われる。又正眼者にも便利であるから産業利用可能性は大きいと思える。〕
【図面の簡単な説明】〔図面１は熱湯が適量入ったことを感知させる為に、二つの金属で作ったスプンの上面図〕
〔図面２はスプンが容器の中へ入れ込めるようにした二つ折れのスプンの外観図〕
〔図面３はスプンを反対に持って生菓子やケーキ等突き刺して、食べるようにした小型のホーク付きスプンのホーク部分図〕【図１】「−を示した平面図である。」のように記載します。
【図２】「ーを示した断面図である。」のように記載します。
【符号の説明】
１          上面図
ａ      スプン部
ｂ〜ｃ  他金属の部分
ｄ      蝶番部
ｅ      ホーク部
２
３
【図１】
0003116579.tif 000003
【図２】
0003116579.tif 000004
【図３】
0003116579.tif 000005
【手続補正書】
【提出日】平成17年8月17日(2005.8.17)
【手続補正１】
【補正対象書類名】実用新案登録請求の範囲
【補正対象項目名】全文
【補正方法】変更
【補正の内容】
【実用新案登録請求の範囲】
【請求項１】
（１）ステンレス製のスプンの柄の部分に柄と同型の他金属の板を張りつける
（２）ステンレス製のフォーク
（３）上記を蝶番により一体化し折り曲げたり伸ばしたり出きるもの
以上からなるスプン。
【手続補正２】
【補正対象書類名】明細書
【補正対象項目名】全文
【補正方法】変更
【補正の内容】
【考案の詳細な説明】
【技術分野】
【金属の加工】
【０００１】
【背景技術】スプンの柄に別の金属をはめ込む
スプンの柄の中間に蝶番（チョウツガイ）で折りたためるようにする。
スプンの柄の最後部を二つに分かれるように切込みを入れる。【０００２】
【考案の開示】
【考案が解決しようとする課題】〔  盲人は視力によって行う事を何らかの方法で補っているが、お茶やコーヒー等入れるとき熱湯が何所まで入ったかを知るためには指を入れて知る他はなく、そうすると指を火傷するので、勘で入れていると入っていなかったり溢れさせたりするので適当に難なく入れられるようにする課題。〕
〔  盲人はスプンやコップ等色々出し入れするのは大変で、スプンをコップの中へ入れておくと蓋が出来ないので、付けて置くか使うたびに洗うかどちらにしても困難を伴うので容器の中へ入れて蓋をしておけるようにする課題。〕
〔  茶菓を飲食するとき小型のホークが欲しいと思うときがあるが、盲人は道具一つを取り替えるのにも苦労をするので、スプン一つでホークとしても使えるようにする課題。〕【０００３】
【課題を解決するための手段】〔  スプンの柄にスプンに使用してある金属とは別の熱伝導が早く又伝導熱の温度の高い金属を用いて、二つの金属の差で熱湯の入った事を感知する手段〕
〔  スプンの柄を湯飲み茶碗等の中に、入り込む長さの処に折りたためる細工を施し、使わないときはコップ等の中へ入れ込んで蓋が出きるようにする手段〕
〔  スプンの柄の後部に切り込みを入れて小型のホークにする手段〕
【考案の効果】〔  使用しているスプンの柄を指で触っているだけで熱湯が適量入った事を感知する事が出きるので安全に適当に熱湯を入れる事が出きる効果〕
〔  スプンを二つ折れにする事で、容器の中へ収納出きるのでコップや湯のみ茶碗の中に入れて置くと、コップとスプンがセットでつかえるので非常に助かる効果。又砂糖やコーヒー等の容器の中へ入れ込んで置くと盲人だけでなく一般の家庭でも便利である効果〕
〔  スプンをを逆さまにしてホークとして使えるので茶菓子を食べる時に都合がよい効果。〕
【考案を実施するための最良の形態】〔スプンの柄の中央に他の金属を張り付けて、柄の最後部が二つに分かれていて、その柄が二つ折れに出きるスプンの形態〕
【実施例】〔熱湯を適当に注ぐ事が出きるので、コップ等にコーヒーやお茶を入れて飲み、生菓子等をスプンの柄を反対に持ちホークとして使い茶菓を飲食した後、スプンを二つに折ってコップの中へ入れてコップに蓋をしておくと次にそのまま使える。失明してから必要に迫られて試作したものをつかっている。〕
【産業上の利用可能性】〔盲人は全国に又地球上に沢山存在するので、この考案が具体化するのを待っている人が多いと思われる。又正眼者にも便利であるから産業利用可能性ハ大きいと思える。〕
【図面の簡単な説明】
【図１】上面図  熱湯が適量入ったことを感知させる為に、二つの金属で作ったスプンの上面図である。
【図２】側面図  二つ折りが出きるように蝶番を付けたスプンの側面図である。
【図３】折り曲げ図  スプンが容器の中へ入れ込めるようにした二つ折りのスプンの折り曲げ図である。
【符号の説明】
１        上面図
ａ        スプン部
ｂ        他金属板
ｃ        ホーク部
２        側面図
ａ        スプン部
ｂ        他金属板
ｃ        ホーク部
ｄ        蝶番
３        折り曲げ図
ａ        スプン部
ｂ        他金属板
ｃ        ホーク部
ｄ        蝶番
【手続補正３】
【補正対象書類名】図面
【補正対象項目名】全図
【補正方法】変更
【補正の内容】
【図１】
0003116579.tif 000006
【図２】
0003116579.tif 000007
【図３】
0003116579.tif 000008